(57)【要約】【課題】  患者の生体と生体外部に設けられた端末装置とが電気的に略導通状態にある場合、生体外部に設けられた端末装置とクレイドルとを電気的に導通不可能な状態にすることにより、クレイドルに過大な電流が加わった際に、生体に該電流が直接流れ込むことを防ぐことができるような、被検体検査装置を提供する。【解決手段】  端末装置６は、端末装置回路１０と、スイッチ７とを内部に有する。端末装置回路１０は、クレイドルポート部９を介し、クレイドル８の内部に設けられたクレイドル回路１１と接続されている。端末装置回路１０とクレイドル回路１１との電気的導通状態は、スイッチ７における電気的導通状態と連動している。一端がアンテナ１に接続されているケーブル４は、他端に着脱用コネクタ５を有し、着脱用コネクタ５の一部には、挿脱によりスイッチ７と連動自在に構成されている突起部５ａが形成されている。【選択図】図５
2005245712.tif 000002
【特許請求の範囲】
【請求項１】
被検体に装着されて該被検体に関する所定の情報を取得した被検体情報取得装置から送信される前記被検体の前記所定の情報に関する被検体情報信号を受信する受信部材と、
着脱が自在なケーブルを介して前記受信部材と接続可能であり、前記受信部材により受信した前記被検体情報信号に対して所定の信号処理を行うための信号処理回路を備えた端末装置とを具備し、
前記端末装置は、前記信号処理回路を駆動させるための電力の充放電が自在である２次電池と、
前記受信部材を着脱自在に接続する受信用コネクタと、
前記２次電池を充電する電力を供給する充電器を着脱可能に接続する充電用コネクタと、
前記受信用コネクタに前記受信部材が接続されている場合には、前記充電用コネクタを介して前記充電器と前記２次電池とが物理的あるいは電気的に接続されることを阻止する接続阻止手段とを有することを特徴とする被検体検査装置。
【請求項２】
前記被検体情報取得装置は、前記被検体情報信号を生成するセンサーを有し、前記端末装置は前記センサーが生成した前記被検体情報信号を前記受信部材によって受信するものであることを特徴とする請求項１に記載の被検体検査装置。
【請求項３】
前記被検体情報取得装置は、前記センサーが生成した前記被検体情報信号を無線送信する手段を有し、前記受信部材は前記被検体内情報取得装置から無線送信された前記被検体情報信号を受信するアンテナであることを特徴とする請求項２に記載の被検体検査装置。
【請求項４】
前記接続阻止手段は、前記ケーブルが前記端末装置に装着された場合には、前記受信コネクタに対して着脱自在に形成された着脱用コネクタにより、前記端末装置と前記充電器との電気的接続を無効とすることができるものである請求項１から３のいずれか記載の被検体検査装置。
【請求項５】
前記接続阻止手段は、前記ケーブルが前記端末装置に装着された場合には、前記受信コネクタに対して着脱自在に接続された着脱用コネクタにより、前記端末装置と前記充電器との装着が物理的に不可能とするものである請求項１から３のいずれか記載の被検体検査装置。
【請求項６】
前記接続阻止手段は、前記端末装置の外表面上において移動自在であって、前記受信用コネクタと前記受信用コネクタに対して着脱自在に接続された着脱用コネクタとを接続可能な状態にし、かつ、前記充電用コネクタと前記充電器とを接続不可能な状態とする第１の位置と、前記受信用コネクタと前記着脱用コネクタとを接続不可能な状態にし、かつ、前記充電用コネクタと前記充電器とを接続可能な状態とする第２の位置とに移動自在に構成されたカバー部材であることを特徴とする請求項１から３のいずれか記載の被検体検査装置。
【請求項７】
前記接続阻止手段は、
前記端末装置と前記充電器が接続不可能となる第１の位置と、前記端末装置と前記充電器が接続可能となる第２の位置とに移動自在なカバー部材と、
前記カバー部材の外表面部に設けられ、前記ケーブルと着脱自在な構成である第１の端子と、
前記端末装置の外部に設けられ、かつ、前記第１の位置に前記カバー部材がある場合において、前記カバー部材により覆われる第２の端子と、
前記カバー部材の、前記第２の端子に対向する面に設けられ、前記カバー部材が前記第１の位置にある状態で、前記第１の端子と前記第２の端子とを電気的に導通させ、且つ、前記カバー部材が前記第２の位置にある状態で、前記第１の端子と前記第２の端子とを電気的に導通させないように構成された第３の端子と、
を具備することを特徴とする請求項１から３のいずれか記載の被検体検査装置。
【請求項８】
前記端末装置は、前記ケーブルが装着されたことを検知する検知手段を具備し、
前記検知手段が、前記ケーブルが前記端末装置に装着されたことを検知した場合には、前記充電用コネクタの電気的接続を無効とすることを特徴とする請求項４記載の被検体検査装置。
【請求項９】
前記端末装置は、前記カバー部材が前記第１の位置にある状態で前記カバー部材に遮蔽され、かつ、前記カバー部材が前記第２の位置にある状態で露出されるように配置された操作部材を具備することを特徴とする請求項７記載の被検体検査装置。
【発明の詳細な説明】
【技術分野】
【０００１】
本発明は、被検体検査装置に関し、特に、被検体内において被検体情報取得装置が取得した被検体情報を、受信手段を介して被検体外で受信することができ、かつ、内部に電力の充放電が自在である２次電池を有する被検体検査装置に関するものである。
【背景技術】
【０００２】
近年、生体内に挿入され、その生体の生体情報を検出する検出手段と、検出した生体情報を送信する送信手段とを内部に有する検出装置と、通信手段を介し、検出装置から送信される生体情報を生体外において受信することができるユニットとを具備した被検体検査装置が提案されている。
【０００３】
このような被検体検査装置としては、例えば、特許文献１において提案されているような、カプセル型内視鏡装置が知られている。カプセル型内視鏡装置は、生体内に挿入され、生体情報を得る生体情報検出手段を備えたカプセル型内視鏡と、生体外に設けられる体外ユニットとを具備している。
【０００４】
カプセル型内視鏡には、アンテナが内部に設けられており、生体情報検出手段を用いて得られた生体情報を送信することができる。送信された前記生体情報は、患者が着るシャツに設けられたアンテナユニットを介し、そのアンテナユニットにケーブルを用いて接続された体外ユニットにより受信される。
【０００５】
また、生体外には、体外ユニットを装着することができるクレイドルが設けられている。そのクレイドルは、体外ユニットが受信した生体情報をパーソナルコンピュータ等の端末装置に取り込むために、体外ユニットとパーソナルコンピュータ等の端末装置とを電気的に接続できるようになっている。また、クレイドルは、商用交流電源コンセントに接続し、体外ユニットの内部に設けられた、充放電自在な２次電池等に対して充電を行うことができるようにもなっている。なお、この充電操作は、患者が着るシャツに設けられたアンテナユニットにケーブル等の接続手段を用いて体外ユニットが接続されている際にも行うことができる。
【特許文献１】特開２００３−１３５３８９号公報
【発明の開示】
【発明が解決しようとする課題】
【０００６】
しかし、特許文献１のような被検体検査装置においては、例えば、充電操作中等において、事前に予測できない不具合が発生することにより、クレイドルに過大な電流が加わり、生体に過大な電流が直接流れ込むおそれがある場合について考慮された構成とはなっていない。
【０００７】
つまり、特許文献１の被検体検査装置においては、患者が着用するシャツに設けられたアンテナユニットにケーブルを用いて体外ユニットが装着された状態において、体外ユニットにクレイドルを装着した場合、患者の生体からクレイドルまでの経路は、電気的に略導通状態となる。この状態において、クレイドルに過大な電流が加わると、クレイドルから、体外ユニットと、ケーブルと、患者が着用するシャツに設けられたアンテナユニットとを介し、生体へと直接過大な電流が流れ込むおそれがある。
【０００８】
このようなおそれを無くすため、患者が着用するシャツに設けられたアンテナにケーブル等の接続手段を用いて体外ユニットが装着された状態においては、誤って体外ユニットにクレイドルを装着しないようにするために、体外ユニットとクレイドルとの装脱着状態の確認を行う必要が生じ、生体の検査作業を煩雑化していた。
【０００９】
本発明は、このような点に鑑みてなされたものであり、被検体と被検体外部に設けられた端末装置とが電気的に略導通状態にある場合、生体外部に設けられた端末装置と充電器とを物理的もしくは電気的に接続不可能な状態にすることにより、クレイドルに過大な電流が加わった際に、生体に該電流が直接流れ込むことを防ぐことができる、被検体検査装置を提供することを目的としている。
【課題を解決するための手段】
【００１０】
本発明における被検体検査装置は、被検体に装着されて該被検体に関する所定の情報を取得した被検体情報取得装置から送信される前記被検体の情報に関する被検体情報信号を受信する受信部材と、着脱が自在なケーブルを介して前記受信部材と接続可能であり、前記受信部材により受信した前記被検体情報信号に対して所定の信号処理を行うための信号処理回路を備えた端末装置とを具備し、前記端末装置は、前記信号処理回路を駆動させるための電力の充放電が自在である前記端末装置に設けられた２次電池と、前記受信部材を着脱自在に接続する前記端末装置に設けられた受信用コネクタと、前記２次電池を充電する電力を供給する充電器を着脱可能に接続する前記端末装置に設けられた充電用コネクタと、前記受信用コネクタに前記受信部材が接続されている際には、前記充電用コネクタを介して前記充電器と前記２次電池とが物理的あるいは電気的に接続されることを阻止する接続阻止手段とを具備している。
【発明の効果】
【００１１】
本発明は、受信部材が被検体検査装置に対して電気的に導通している状態においては、受信部材および充電器の両方が被検体検査装置に同時に接続されないような構造を有している。そのため、被検体検査装置の充電操作を行う際に、事前に予測できない不具合等が発生することにより、充電器に過大な電流が加わり、被検体に過大な電流が直接流れ込むおそれを無くすことができ、また、被検体検査装置と充電器との装脱着状態の確認を不必要に行うことも無くなるため、被検体の検査作業を効率的に進めることができるような被検体検査装置を提供できる。
【発明を実施するための最良の形態】
【００１２】
以下、図面を参照して本発明の実施の形態を説明する。
【００１３】
（第１の実施形態）
まず、図１から図４を用いて、本実施形態に係る生体検査装置としての被検体検査装置が用いられる、被検体情報取得システムについて説明を行う。
【００１４】
図１は、被検体検査装置が被検体より情報を取得する際の、被検体情報取得システムの構成図である。図２は、被検体検査装置が受信した被検体に関する情報を、パーソナルコンピュータ等のデータ処理装置に移す際の、被検体検査装置および端末装置の構成図である。図３は、被検体内において該被検体に関する所定の情報を取得する被検体情報取得装置の内部構成を示す断面図である。図４は、被検体情報取得システムの主要部の構成を示すブロック図である。
【００１５】
カプセル型医療装置の１つであるカプセル型内視鏡装置１０１は、被検体情報取得装置であるカプセル型内視鏡１０３と、被検体検査装置である外部装置１０５とからなる。カプセル型内視鏡１０３は、被検体１０２である人が口から飲み込むことで被検体内に挿入され、被検体内の情報を取得する。外部装置１０５は、この被検者１０２の体外に配置され、カプセル型内視鏡１０３が取得した被検体に関する情報、すなわち、被検体内の被検部位を撮像し、無線送信された画像信号を受信するアンテナユニット１０４に接続される。
【００１６】
外部装置１０５は、被検体内検査時には、図１に示すような形で、ケーブルを介してアンテナユニット１０４に接続され、カプセル型内視鏡１０３から送信された画像信号を受信する。外部装置１０５は、内部にコンパクトフラッシュ（Ｒ）メモリ等の可搬型の記録手段が搭載されており、受信した画像信号を画像情報として記録することができる。このコンパクトフラッシュ（Ｒ）メモリ等の可搬型のメモリ手段を介し、パーソナルコンピュータ等の端末装置１０７は、外部装置１０５から、外部装置１０５が受信した画像情報を取り込むことが可能である。または、図２に示すように、この外部装置１０５は、充電器としてのクレイドル１０６に装着し、もしくは図示しないＵＳＢケーブル等を介し、パーソナルコンピュータ等の端末装置１０７に電気的に接続できるようになっている。端末装置１０７は、外部装置１０５が受信および記録した画像情報を、キーボード１０８ａやマウス１０８ｂ等の入力および操作デバイスの操作により端末本体１０９に取り込み、モニタ部１０８ｃに外部装置１０５が取り込んだ画像を表示等することができる。
【００１７】
被検体１０２が着るジャケット１１０の外表面上には、複数のアンテナ１１１が設けられたアンテナユニット１０４が装着されている。なお、アンテナ１１１の形状は図１に示したような形状に限るものではなく、例えば、ジャケット１１０を介してではなく、被検体の表面に直に貼り付けるような形状でもよい。
【００１８】
図１に示すように、被検体１０２がカプセル型内視鏡１０３を口から飲み込んで内視鏡検査を行う場合、カプセル型内視鏡１０３により撮像された被検体内の被検部位の画像信号は、カプセル型内視鏡１０３の内部に設けられたアンテナ１２３により無線送信される。無線送信された画像信号は、アンテナ１１１により受信され、アンテナユニット１０４に接続されたケーブルを介し、外部装置１０５の内部に搭載された、コンパクトフラッシュ（Ｒ）メモリ等の可搬型の記録手段を用いて保存される。
【００１９】
外部装置１０５は、例えば、被検体１０２のベルトにフック等により着脱自在に取り付けられるようになっている。また、外部装置１０５の形状は、例えば、箱形状であり、外部装置１０５の前面には、画像表示を行う液晶モニタ１１２と、指示操作等を行う操作部１１３とが設けてある。なお、外部装置１０５の外表面上には、図示していない外部装置１０５の内部に搭載された２次電池の残量に関する警告表示用のＬＥＤを設けたり、操作部１１３として、外部装置１０５の電源スイッチのみを設けたりするような構成としてもよい。
【００２０】
カプセル型内視鏡１０３の外装は、図３に示すように、断面形状が、円筒の一端を閉塞したような形状である外装部材１１４と、略半球形状に丸みが付いた、透明であるドーム型カバー１１４ａとからなる。ドーム型カバー１１４ａは、外装部材１１４の開口側の端部に接着剤によって接着され、外装部材１１４を閉塞する。そのため、外装部材１１４とドーム型カバー１１４ａとはカプセル形状を形成し、かつ、水密に密着した状態となる。
【００２１】
カプセル型内視鏡１０３の内部において、ドーム型カバー１１４ａに覆われる箇所の端部中央には、ドーム型カバー１１４ａを介して入射された像を結像するための対物レンズ１１５が、レンズ枠１１６に取り付けられるような形で設けられている。対物レンズ１１５の結像位置には、撮像素子であるＣＣＤイメージャ１１７が配置されている。また、対物レンズ１１５の周囲には、照明系として、複数の白色ＬＥＤ１１８が、ＣＣＤイメージャ１１７の同一の外表面上に設けられている。
【００２２】
ＣＣＤイメージャ１１７の裏面側、つまり、白色ＬＥＤ１１８が設けられている面と反対側には、処理回路１１９と、通信処理回路１２０と、ボタン型電池１２１とが、それぞれ外装部材１１４の内部に設けられている。処理回路１１９は、白色ＬＥＤ１１８を発光駆動させると共に、ＣＣＤイメージャ１１７を駆動し、ＣＣＤイメージャ１１７の撮像信号から画像信号を生成する処理を行う。通信処理回路１２０は、処理回路１１９が生成した画像信号をアンテナ１２３から被検体外部に送信するために必要となる処理を行う。ボタン型電池１２１は、処理回路１１９および通信処理回路１２０に電源を供給する。また、ボタン型電池１２１の後端側、つまり外装部材１１４の半球形状内側には、通信処理回路１２０と接続され、通信処理回路１２０により処理された画像信号を、例えば、電波による送信といったような、無線による送信を行うためのアンテナ１２３が設けられている。
【００２３】
図４のブロック図において示されるように、カプセル型内視鏡１０３は、アンテナ１２３と、送信回路１３７と、撮像装置１４３とを具備している。送信回路１３７は、処理回路１１９および通信処理回路１２０等からなる。撮像装置１４３は、対物レンズ１１５と、レンズ枠１１６と、ＣＣＤイメージャ１１７等からなる。これら各部の機能の詳細な説明は、前述したとおりであるため、ここでは説明は省略する。
【００２４】
また、外部装置１０５は、アンテナ切替スイッチ１４５を介し、アンテナユニット１０４を構成する複数のアンテナ１１１ａから１１１ｄと接続されている。なお、複数のアンテナ１１１は、ここでは１１１ａ〜１１１ｄの４本としたが、必ずしもこの本数に限るものではない。アンテナ選択回路１４６によるアンテナの選択動作は、受信回路１３３の出力によって制御される。そして、操作部１１３から受信開始の指示入力が行われると、カプセル型内視鏡１０３から送信される信号を１フレームおきに、アンテナ１１１ａ、アンテナ１１１ｂ、アンテナ１１１ｃ、アンテナ１１１ｄ、により順次受信する。
【００２５】
受信回路１３３は、各アンテナからの受信強度信号から得た、各アンテナでの受信強度を比較して画像信号を受信する最適なアンテナを選択し、アンテナ切替回路４５に画像受信用のアンテナを切り替えるための制御信号を送出する。これにより、現在画像信号を受信しているアンテナよりも、受信強度の高いアンテナが他に存在する場合には、画像信号を受信するアンテナを次フレーム分から切り替えるようにしている。つまり、まず、外部装置１０５は、受信開始の指示入力を操作部１１３から受けた後、カプセル型内視鏡１０３から送信されてくる受信強度信号を、アンテナ１１１ａ、アンテナ１１１ｂ、アンテナ１１１ｃ、アンテナ１１１ｄ、により順次受信する。次に、受信回路１３３が、各アンテナからの受信強度信号から得た、各アンテナでの受信強度の比較を行い、その際に受信強度が最大であったアンテナ１１１ｉ（ｉはａ、ｂ、ｃ、ｄのいずれか）の情報を基に、このアンテナ１１１ｉで画像信号を受信するようにアンテナ選択回路１４６がアンテナ選択回路１４５を設定する。例えば、アンテナ１１１ａの受信強度が最大であった場合、このアンテナ１１１ａが画像信号受信用アンテナとして指定され、残りのアンテナであるアンテナ１１１ｂ、アンテナ１１１ｃ、アンテナ１１１ｄは、受信強度信号受信用アンテナとして指定される。１フレーム期間分の後、カプセル型内視鏡１０３は画像信号をアンテナ１１１に送信する。送信された画像信号は、外部装置１０５において、前述した方法で指定された、受信強度が最大であるアンテナ１１１ａで受信される。カプセル型内視鏡１０３の位置は、被検体１０２の内部で移動するため、その移動に併せて、複数のアンテナ１１１それぞれが受信する画像信号の受信強度も変動する。そのため、前述した方法を用いて、常に受信強度が最大となるアンテナ１１１ｉを用いて画像信号を受信できるように、１フレーム毎に画像信号受信用アンテナを変更する必要がある。
【００２６】
アンテナ１１１ｉを用いて受信した画像信号は、外部装置１０５において、受信回路１３３と、受信回路１３３に接続された信号処理回路１３５とを介し、信号処理回路１３５に接続されたコンパクトフラッシュ（Ｒ）メモリ、ハードディスク等のメモリ手段１４７に、画像情報の形で記録することができる。また、図４に示すように、信号処理回路１３５で処理が行われた画像信号は、信号処理回路１３５に接続された液晶モニタ１１２により、画像としてその場で表示することもできる。
【００２７】
次に、本発明の第１の実施形態に係る被検体検査装置について説明を行う。図５から図８は、本発明の第１の実施形態に係るものである。図５は、本実施形態に係る被検体検査装置の端末装置にアンテナおよびクレイドルが装着された際の構成図である。図６は、本実施形態に係る被検体検査装置の端末装置にアンテナおよびクレイドルが装着された際の斜視図である。図７は、本実施形態に係る被検体検査装置の端末装置にクレイドルが装着され、かつ、アンテナが取り外された際の構成図である。図８は、本実施形態に係る被検体検査装置の端末装置にクレイドルが装着され、かつ、アンテナが取り外された際の斜視図である。なお、本実施形態においては、端末装置のアンテナは１本の場合である。また、本実施形態および他の実施形態において、クレイドルは、説明の簡単のため、図２に示すような形状ではなく、機能的な形状で示してある。
【００２８】
被検体検査装置であるカプセル内視鏡３は、被検体である人体２に挿入された後、内部に設けられたセンサーによって、所定の生体情報の取得を行う。カプセル内視鏡３が取得した生体情報は、カプセル内視鏡３の内部に設けられた、図示していない信号処理回路により信号処理が行われ、被検体情報信号である生体情報信号として、生体外に設けられた、アンテナ１に対し送信される。受信部材としてのアンテナ１は、人体２が着用する図示していないシャツやジャケット等の衣服の表面に設けられたり、または、人体２の表面に直に貼り付けて装着されたりするような構成となっており、カプセル内視鏡３から無線で送信された生体情報信号を受信することができる。なお、本実施形態におけるカプセル内視鏡３は、人体２に挿入され、生体情報を検出する検出手段と、生体情報信号を送信する通信手段とを有する装置であればよい。例えば、検出手段は、ｐＨセンサー、温度センサー、圧力センサー等でよく、また、通信手段については無線通信を使用したものに限ったものでなくともよい。さらに、例示した装置が人体２の消化管以外の部分に挿入されたり、あるいはインプラントとして用いられる場合については、被検体検査装置の形状は、カプセル形状に限ったものでなくともよい。
【００２９】
ケーブル４の一端はアンテナ１と接続され、電気的に導通している。また、ケーブル４の他端には、端末装置６の受信用コネクタであるソケット部６ｂに対して着脱が自在である着脱用コネクタ５が接続されており、着脱用コネクタ５であるジャックが端末装置６に接続されている場合、アンテナ１と、端末装置６とは電気的に導通し、アンテナ１が受信した生体情報信号が端末装置６に入力される。端末装置６に入力された前記生体情報信号は、端末装置６の内部に設けられた、各種処理を行う信号処理回路を含む端末装置回路１０により信号の処理、情報の蓄積等が行われる。
【００３０】
着脱用コネクタ５の一部として形成されている突起部５ａは、端末装置６の内部に設けられたスイッチ７のオン・オフをできるように構成されている。具体的には、着脱用コネクタ５を端末装置６のソケット部６ｂに差し込むと、スイッチ７がオフとなり、着脱用コネクタ５を端末装置６のソケット部６ｂから抜くと、スイッチ７がオンとなる。図５および図６においては、スイッチ７をオフとし、端末装置回路１０とクレイドル回路１１とを接続するライン７ａの電気的接続を無効とする状態にある。
【００３１】
端末装置６とクレイドル８とは、クレイドルポート部９を介して着脱が自在である。端末装置６とクレイドル８とが接続されている場合であって、かつ、着脱用コネクタ５がソケット部６ｂに差し込まれていない場合、端末装置６の内部に設けられた端末装置回路１０と、クレイドル８の内部に設けられたクレイドル回路１１とは電気的に導通状態となる。クレイドルポート部９では、端末装置６の接点部である充電用コネクタ６ａと、クレイドル８の接点部である充電用コネクタ８ａとが接続可能となっている。
【００３２】
端末装置６は、図５に示すように、端末装置６に着脱用コネクタ５が装着され、着脱用コネクタ５の一部として形成されている突起部５ａが挿入されることによりスイッチ７が開放、すなわちオフした状態においては、端末装置回路１０とクレイドル回路１１とが電気的に導通しないように構成されている。また、端末装置６は、図７に示すように、端末装置６から着脱用コネクタ５が取り外され、着脱用コネクタ５の一部として形成されている突起部５ａが抜脱されることによりスイッチ７がオンする状態においては、端末装置回路１０とクレイドル回路１１とが電気的に導通するように構成されている。さらに、端末装置６は、例えば人体２に装着した、図１に示したように、ベルトのフック等に対して着脱自在に装着することができるような構造となっている。
【００３３】
充電器であるクレイドル８には、電源プラグ１２が接続されており、電源プラグ１２は商用交流電源コンセントと接続自在である。図示していない商用交流電源コンセントに電源プラグ１２が接続され、かつ、クレイドルポート部９の端末装置６側の充電用コネクタ６ａを介して、端末装置６とクレイドル８とが接続されている状態においては、クレイドル８から端末装置６へと電力が供給され、端末装置６の内部に搭載された２次電池１３を充電することができる。充電された２次電池１３の放電により、端末装置回路１０に駆動電力が供給される。この場合、着脱用コネクタ５の突起部５ａと、スイッチ７とが接続阻止手段を構成する。
【００３４】
なお、本実施形態においては、ケーブル４が端末装置６に装着されたことを検知する検知手段として、端末装置６の内部に、例えば、図５における点線で示すような、電子回路等により構成されるケーブル接続検知部１４およびケーブル接続検知部１４に連動してオンとオフの切り替えを行うようなスイッチ部１５が設けられていてもよい。この場合、着脱用コネクタ５の突起部５ａと、スイッチ７と、ケーブル接続検知部１４と、スイッチ部１５とが接続阻止手段を構成する。
【００３５】
前述したように、アンテナ１がケーブル４に設けられた着脱用コネクタ５により端末装置６に接続された場合、アンテナ１と端末装置６とは電気的に導通状態となる。しかし、着脱用コネクタ５の一部として形成されている突起部５ａの挿入により、スイッチ７がオフされるため、端末装置６とクレイドル８とが、クレイドルポート部９の充電用コネクタ６ａを介して接続されていたとしても、端末装置６とクレイドル８とは電気的に導通することが無い。
【００３６】
また、アンテナ１が端末装置６に接続されていない場合は、アンテナ１と端末装置６とは物理的に隔離されているため電気的に導通せず、着脱用コネクタ５の一部として形成されている突起部５ａの抜脱によりスイッチ７がオンされるため、端末装置６とクレイドル８とは電気的に導通状態となる。
【００３７】
本実施形態における被検体検査装置は、前記のような特性を持つため、アンテナ１に接続されるケーブル４とクレイドル８とが両方とも端末装置６に装着された状態で、商用交流電源に電源プラグ１２を接続して充電操作を行う際に、事前に予測できない不具合等が発生することにより、クレイドル８に過大な電流が加わったとしても、クレイドル８から、端末装置６と、ケーブル４と、アンテナ１とを介して生体に直に過大な電流が流れるおそれは無くなる。
【００３８】
（第２の実施形態）
図９から図１２は、本発明の第２の実施形態に係るものである。なお、第１の実施形態と同様の構成を持つ部分については、詳細説明は省略する。
【００３９】
図９は、本実施形態に係る被検体検査装置の端末装置にアンテナが装着され、かつ、クレイドルが取り外された際の構成図である。図１０は、本実施形態に係る被検体検査装置の端末装置にアンテナが装着され、かつ、クレイドルが取り外された際の斜視図である。図１１は、本実施形態に係る被検体検査装置の端末装置にクレイドルが装着され、かつ、アンテナが取り外された際の構成図である。図１２は、本実施形態に係る被検体検査装置の端末装置にクレイドルが装着され、かつ、アンテナが取り外された際の斜視図である。
【００４０】
本実施形態においては、ケーブル４の一端がアンテナ１と接続され、ケーブル４の他端には、端末装置２２に形成されたソケット部２２ｂに対して着脱ができる着脱用コネクタ２１が設けられている。着脱用コネクタ２１がソケット部２２ｂに接続されている場合、アンテナ１と、端末装置２２とは電気的に導通状態となる。
【００４１】
クレイドル２３と、端末装置２２とはクレイドルポート部２９を介して着脱が可能である。クレイドルポート部２９では、端末装置２２の接点部である充電用コネクタ２２ａと、クレイドル２３の接点部である充電用コネクタ２３ａとが接続可能となっている。クレイドル２３の充電用コネクタ２３ａと端末装置２２の充電用コネクタ２２ａとが接続されている場合、端末装置２２と、クレイドル２３とは電気的に導通状態となる。
【００４２】
充電用コネクタ２２ａと、受信用コネクタであるソケット部２２ｂとは端末装置２２の一側面の同一平面上に設けられており、また、端末装置２２の内部には２次電池２４が搭載されている。
【００４３】
クレイドル２３には、電源プラグ１２が設けられており、電源プラグ１２は商用交流電源コンセントと接続自在である。図示していない商用交流電源に電源プラグ１２が接続されており、かつ、端末装置２２とクレイドル２３とが接続されている状態においては、クレイドル２３から端末装置２２へと電力が供給され、端末装置２２の内部に搭載された２次電池２４を充電することができる。
【００４４】
前記のような構成においては、端末装置２２の充電用コネクタ２２ａがソケット部２２ｂと同一平面上に形成されており、かつ、クレイドル２３は、端末装置２２が接続されているとき、クレイドル２３の一部がソケット部２２ｂを覆うような形状をしている。そのため、充電用コネクタ２２ａと充電用コネクタ２３ａとを接続したとき、着脱用コネクタ２１がソケット部２２ｂに接続されている場合、図９において示すように、着脱用コネクタ２１は端末装置２２の充電用コネクタ２２ａとクレイドル２３の充電用コネクタ２３ａとの接続を物理的に妨げる位置に位置することになる。従って、アンテナ１と端末装置２２とが電気的に導通状態にある場合には、クレイドル２３と端末装置２２とを接続することはできない。
【００４５】
また、端末装置２２の充電用コネクタ２２ａがソケット部２２ｂと同一平面上に形成されているため、端末装置２２の充電用コネクタ２２ａがクレイドル２３の充電用コネクタ２３ａに接続されている場合、図１１において示すように、ソケット部２２ｂは、端末装置２２とクレイドル２３とにより物理的に遮蔽される。従って、端末装置２２とクレイドル２３とが電気的に導通状態にある場合には、アンテナ１と端末装置２２とを接続することはできない。前述した形状のクレイドル２３と、端末装置２２の充電用コネクタ２２ａと、ソケット部２２ｂとが接続阻止手段を構成する。
【００４６】
本実施形態における被検体検査装置は、前記のような特性を持つため、アンテナ１に接続されるケーブル４とクレイドル２３とを同時に端末装置２２に装着することは、物理的に不可能である。そのため、第１の実施形態と同様に、充電操作中において、事前に予測できない不具合等が発生することにより、クレイドル２３に過大な電流が加わったとしても、充電操作を行う際にはアンテナ１と端末装置２２とは電気的に導通しないため、生体に直に過大な電流が流れるおそれは無くなる。さらに、本実施形態においては、第１の実施形態とは異なり、過大な電流が流れるおそれのある経路の物理的接続を遮断できるため、端末装置２２およびクレイドル２３の内部に設けられた回路内の経路を短絡するような形で過大な電流が流れたとしても、アンテナ１と端末装置２２とは電気的に導通しないため、電流が生体に到達することは無い。
【００４７】
（第３の実施形態）
図１３から図１６は、本発明の第３の実施形態に係るものである。なお、第１の実施形態および第２の実施形態と同様の構成を持つ部分については、詳細説明は省略する。
【００４８】
図１３は、本実施形態に係る被検体検査装置の端末装置にアンテナが装着され、かつ、クレイドルが取り外された際の構成図である。図１４は、本実施形態に係る被検体検査装置の端末装置にアンテナが装着され、かつ、クレイドルが取り外された際の斜視図である。図１５は、本実施形態に係る被検体検査装置の端末装置にクレイドルが装着され、かつ、アンテナが取り外された際の構成図である。図１６は、本実施形態に係る被検体検査装置の端末装置にクレイドルが装着され、かつ、アンテナが取り外された際の斜視図である。
【００４９】
本実施形態においては、ケーブル４の一端がアンテナ１と接続され、ケーブル４の他端には、端末装置３２に形成されたソケット部３２ｂに対して着脱ができる着脱用コネクタ３１が設けられている。着脱用コネクタ３１がソケット部３２ｂに接続されている場合、アンテナ１と、端末装置３２とは電気的に導通状態となる。
【００５０】
端末装置３２の充電用コネクタ３２ａとソケット部３２ｂとは端末装置３２の一側面の同一平面上に形成されており、また、端末装置３２の内部には２次電池３４が搭載されている。また、端末装置３２には、端末装置３２の外表面上において移動自在であるようなポートカバー３２ｃが設けられている。ポートカバー３２ｃは、例えば、図９に示すような、端末装置３２の外表面上に設けられた溝部３２ｄに係合する係合部を内側面に有し、その係合部が溝部３２ｄ内を摺動しながら端末装置３２の外表面上を移動可能であるような構成となっている。
【００５１】
クレイドル３３と、端末装置３２とはクレイドルポート部３９を介して着脱可能である。クレイドルポート部３９では、端末装置３２の接点部である充電用コネクタ３２ａと、クレイドル３３の接点部である充電用コネクタ３３ａとが接続可能となっている。クレイドル３３の充電用コネクタ３３ａと端末装置３２の充電用コネクタ３２ａとが接続されている場合、端末装置３２と、クレイドル３３とは電気的に導通状態となる。
【００５２】
クレイドル３３には、電源プラグ１２が設けられており、電源プラグ１２は商用交流電源と接続自在である。図示していない商用交流電源に電源プラグ１２が接続されており、かつ、端末装置３２とクレイドル３３とが接続されている状態においては、クレイドル３３から端末装置３２へと電力が供給され、端末装置３２の内部に搭載された２次電池３４を充電することができる。
【００５３】
前記のような構成においては、ポートカバー３２ｃを図１３に示す第１の位置に合わせるように移動させることにより、ソケット部３２ｂと着脱用コネクタ３１とを物理的に接続可能な状態とし、かつ、充電用コネクタ３２ａと充電用コネクタ３３ａとの接続を物理的に妨げる位置に配置することができる。また、ポートカバー３２ｃを図１５に示す第２の位置に合わせるように移動させることにより、充電用コネクタ３２ａと充電用コネクタ３３ａとを物理的に接続可能な状態とし、かつ、ソケット部３２ｂと着脱用コネクタ３１との接続を物理的に妨げる位置に配置することができる。端末装置３２に設けられたポートカバー３２ｃが接続阻止手段を構成する。
【００５４】
本実施形態における被検体検査装置は、前記のような特性を持つため、アンテナ１に接続されるケーブル４とクレイドル３３とを同時に端末装置３２に装着することは、物理的に不可能である。そのため、第１の実施形態および第２の実施形態と同様に、充電操作中において、事前に予測できない不具合等が発生することにより、クレイドル３３に過大な電流が加わったとしても、充電操作を行う際にはアンテナ１と端末装置３２とは電気的に導通しないため、生体に直に過大な電流が流れるおそれは無くなる。さらに、本実施形態においては、第２の実施形態と同様に、過大な電流が流れるおそれのある経路の物理的接続を遮断できる上、充電用コネクタ３２ａまたはソケット部３２ｂのうち、使用しない一方の箇所にポートカバー３２ｃを移動させて遮蔽するため、第２の実施形態に比べて遮蔽箇所が視認し易い構造となっている。
【００５５】
（第４の実施形態）
図１７から図２０は、本発明の第４の実施形態に係るものである。なお、第１の実施形態から第３の実施形態までに記載した部分と同様の構成を持つ部分については、詳細説明は省略する。
【００５６】
図１７は、本実施形態に係る被検体検査装置の端末装置に設けられたカバーにアンテナが装着され、かつ、該アンテナが端末装置と電気的に導通している状態を示す構成図である。図１８は、本実施形態に係る被検体検査装置の端末装置に設けられたカバーにアンテナが装着され、かつ、該アンテナが端末装置と電気的に導通している状態を示す斜視図である。図１９は、本実施形態に係る被検体検査装置の端末装置にクレイドルが装着され、かつ、前記アンテナと端末装置とが電気的に導通していない状態を示す構成図である。図２０は、本実施形態に係る被検体検査装置の端末装置にクレイドルが装着され、かつ、前記アンテナと端末装置とが電気的に導通していない状態を示す斜視図である。
【００５７】
本実施形態においては、ケーブル４の一端がアンテナ１と接続され、ケーブル４の他端には、着脱用コネクタ４１が設けられている。端末装置４２に対して移動自在に形成されたカバー４３には、着脱用コネクタ４１対して着脱自在なソケット部４３ａが１つあるいは複数個設けられている。
【００５８】
カバー４３の外表面にはソケット部４３ａが、カバー４３の内側面にはプラグ４３ｂがそれぞれ設けられており、ソケット部４３ａとプラグ４３ｂとは、カバー４３の内部において電気的に接続されている。また、カバー４３が誤操作により容易に開放状態にならないように、端末装置４２およびカバー４３の、各々を取り付けるための箇所には、図示していないコインビスもしくはロック機構が設けられている。さらに、カバー４３は、例えば、図１７に示すような、端末装置４２の外表面上に設けられた溝部４２ｃに係合する係合部を内側面に有し、その係合部が溝部４２ｃ内を摺動しながら端末装置４２の外表面上を移動可能であるような構成となっている。
【００５９】
端末装置４２の外表面上であり、かつ、カバー４３の開閉領域内である部分には、操作ボタン群４４が設けられており、操作ボタン群４４の操作により、端末装置４２の状態設定の変更等を行うことができる。また、端末装置４２の外表面上であり、かつ、カバー４３に覆われる部分にはソケット４２ｂが設けられており、ソケット４２ｂは、カバー４３の内部に設けられたプラグ４３ｂと着脱自在に構成されている。さらに、端末装置４２の内部には２次電池４６が搭載されている。
【００６０】
端末装置４２とクレイドル４５とは、図１９において示す状態においては、クレイドルポート部４９を介して着脱可能である。クレイドルポート部４９では、端末装置４２の接点部である充電用コネクタ４２ａとクレイドル４５の接点部である充電用コネクタ４５ａとが接続可能となっている。端末装置４２の充電用コネクタ４２ａとクレイドル４５の充電用コネクタ４５ａとが接続されている場合、端末装置４２と、クレイドル４５とは電気的に導通する。
【００６１】
クレイドル４５には、電源プラグ１２が設けられており、電源プラグ１２は商用交流電源コンセントと接続自在である。図示していない商用交流電源コンセントに電源プラグ１２が接続されており、かつ、端末装置４２とクレイドル４５とが接続されている状態においては、クレイドル４５から端末装置４２へと電力が供給され、端末装置４２の内部に搭載された２次電池４６を充電することができる。
【００６２】
前記のような構成においては、カバー４３を図１７に示す第１の位置に合わせるように移動させることにより、端末装置４２に設けられたソケット４２ｂとカバー４３に設けられたプラグ４３ｂが接続され、端末装置４２とカバー４３とは電気的に導通状態となる。この時、着脱用コネクタ４１がソケット部４３ａに接続されていれば、端末装置４２は、着脱用コネクタ４１と、ケーブル４とを介し、アンテナ１と電気的に導通状態となる。
【００６３】
カバー４３が図１７に示す第１の位置にある場合、クレイドルポート部４９はカバー４３により物理的に遮蔽されるため、端末装置４２とクレイドル４５とを接続することはできない。さらに、カバー４３が図１７に示す第１の位置にある場合、カバー４３による端末装置４２の開閉領域内に設けられた操作ボタン群４４が遮蔽されるため、アンテナ１と端末装置４２が電気的に導通状態となっている際、つまり、人体２にカプセル内視鏡３が挿入され、かつ、アンテナ１を介して端末装置４２が生体情報を受信する際における端末装置４２の誤操作を防ぐことができる。
【００６４】
カバー４３が図１９に示す第２の位置にある場合、クレイドルポート部４９にクレイドル４５を接続し、端末装置４２とクレイドル４５とを電気的に導通状態とすることができ、また、操作ボタン群４４が露出し、端末装置４２の状態設定の変更等を行うことができる状態となる。さらに、カバー４３が図１９に示す第２の位置にある場合、端末装置４２に設けられたソケット４２ｂとカバー４３に設けられたプラグ４３ｂは物理的に離れるため、端末装置４２とカバー４３とが電気的に導通することは無い。この時、図１９に示すように、着脱用コネクタ４１がソケット部４３ａに接続されていたとしても、端末装置４２とカバー４３とが電気的に導通していないため、従って、アンテナ１と端末装置４２とが電気的に導通することも無い。前述した構成のカバー４３が、接続阻止手段を構成する。
【００６５】
本実施形態における被検体検査装置は、以上に記したように、端末装置４２に対し、アンテナ１およびクレイドル４５のそれぞれに繋がる経路を同時に電気的に導通状態とすることはできない。そのため、第１の実施形態から第３の実施形態までと同様に、充電操作中において、事前に予測できない不具合等が発生することにより、クレイドル４５に過大な電流が加わったとしても、充電操作を行う際にはアンテナ１と端末装置４２とは電気的に導通しないため、生体に直に過大な電流が流れるおそれは無くなる。さらに、本実施形態においては、第２の実施形態および第３の実施形態と同様に、過大な電流が流れるおそれのある経路の物理的接続を遮断できる上、カバー４３を移動させて図１７に示す第１の位置とした場合、操作ボタン群４４がカバー４３により遮蔽されるため、端末装置４２の誤操作を防ぐことができる。また、カバー４３を移動させて図１９に示す第２の位置とした場合、アンテナ１と端末装置４２とは電気的に導通せず、アンテナ１とカバー４３とが接続された状態であっても充電を行うことができるため、充電操作の際に着脱用コネクタ４１を着脱する手間を省くことが可能である。
【図面の簡単な説明】
【００６６】
【図１】被検体検査装置が被検体より情報を取得する際の、被検体情報取得システムの構成図。
【図２】被検体検査装置が受信した被検体に関する情報を、パーソナルコンピュータ等の端末装置に移す際の、被検体検査装置および端末装置の構成図。
【図３】被検体内において該被検体に関する所定の情報を取得する被検体情報取得装置の内部構成を示す断面図。
【図４】被検体情報取得システムの主要部の構成を示すブロック図。
【図５】第１の実施形態に係る被検体検査装置の端末装置にアンテナおよびクレイドルが装着された際の構成図。
【図６】第１の実施形態に係る被検体検査装置の端末装置にアンテナおよびクレイドルが装着された際の斜視図。
【図７】第１の実施形態に係る被検体検査装置の端末装置にクレイドルが装着され、かつ、アンテナが取り外された際の構成図。
【図８】第１の実施形態に係る被検体検査装置の端末装置にクレイドルが装着され、かつ、アンテナが取り外された際の斜視図。
【図９】第２の実施形態に係る被検体検査装置の端末装置にアンテナが装着され、かつ、クレイドルが取り外された際の構成図。
【図１０】第２の実施形態に係る被検体検査装置の端末装置にアンテナが装着され、かつ、クレイドルが取り外された際の斜視図。
【図１１】第２の実施形態に係る被検体検査装置の端末装置にクレイドルが装着され、かつ、アンテナが取り外された際の構成図。
【図１２】第２の実施形態に係る被検体検査装置の端末装置にクレイドルが装着され、かつ、アンテナが取り外された際の斜視図。
【図１３】第３の実施形態に係る被検体検査装置の端末装置にアンテナが装着され、かつ、クレイドルが取り外された際の構成図。
【図１４】第３の実施形態に係る被検体検査装置の端末装置にアンテナが装着され、かつ、クレイドルが取り外された際の斜視図。
【図１５】第３の実施形態に係る被検体検査装置の端末装置にクレイドルが装着され、かつ、アンテナが取り外された際の構成図。
【図１６】第３の実施形態に係る被検体検査装置の端末装置にクレイドルが装着され、かつ、アンテナが取り外された際の斜視図。
【図１７】第４の実施形態に係る被検体検査装置の端末装置に設けられたカバーにアンテナが装着され、かつ、該アンテナが端末装置と電気的に導通している状態を示す構成図。
【図１８】第４の実施形態に係る被検体検査装置の端末装置に設けられたカバーにアンテナが装着され、かつ、該アンテナが端末装置と電気的に導通している状態を示す斜視図。
【図１９】第４の実施形態に係る被検体検査装置の端末装置にクレイドルが装着され、かつ、前記アンテナと端末装置とが電気的に導通していない状態を示す構成図。
【図２０】第４の実施形態に係る被検体検査装置の端末装置にクレイドルが装着され、かつ、前記アンテナと端末装置とが電気的に導通していない状態を示す斜視図。
【符号の説明】
【００６７】
１  アンテナ、２  人体、３  カプセル内視鏡、４  ケーブル、５，２１，３１，４１  着脱用コネクタ、５ａ  突起部、６，２２，３２，４２  端末装置、６ａ，８ａ，２２ａ，２３ａ，３２ａ，３３ａ，４２ａ，４５ａ  充電用コネクタ、６ｂ，２２ｂ，３２ｂ  ソケット部、７  スイッチ、７ａ  ライン、８，２３，３３，４５  クレイドル、９，２９，３９，４９  クレイドルポート部、１０  端末装置回路、１１  クレイドル回路、１２  電源プラグ、１３，２４，３４，４６  ２次電池、１４  ケーブル接続検知部、１５  スイッチ部、３２ｃ  ポートカバー、３２ｄ，４２ｃ  溝部、４２ｂ  ソケット、４３  カバー、４３ａ  ソケット部、４３ｂ  プラグ、４４  操作ボタン群、１０１  カプセル型内視鏡装置、１０２  被検者、１０３  カプセル型内視鏡、１０４  アンテナユニット、１０５  外部装置、１０６  クレイドル、１０７  端末装置、１０８ａ    キーボード、１０８ｂ  マウス、１０８ｃ  モニタ部、１０９  端末本体、１１０  ジャケット、１１１  アンテナ、１１１ａ  アンテナ、１１１ｂ  アンテナ、１１１ｃ  アンテナ、１１１ｄ  アンテナ、１１２  液晶モニタ、１１３  操作部、１１４  外装部材、１１４ａ  ドーム型カバー、１１５  対物レンズ、１１６  レンズ枠、１１７  ＣＣＤイメージャ、１１８  白色ＬＥＤ、１１９  処理回路、１２０  通信処理回路、１２１  ボタン型電池、１２３  アンテナ、１３３  受信回路、１３５  信号処理回路、１４５  アンテナ切替回路、１４６  アンテナ選択回路、１４７  メモリ手段
代理人    弁理士    伊  藤    進
【図１】
2005245712.tif 000003
【図２】
2005245712.tif 000004
【図３】
2005245712.tif 000005
【図４】
2005245712.tif 000006
【図５】
2005245712.tif 000007
【図６】
2005245712.tif 000008
【図７】
2005245712.tif 000009
【図８】
2005245712.tif 000010
【図９】
2005245712.tif 000011
【図１０】
2005245712.tif 000012
【図１１】
2005245712.tif 000013
【図１２】
2005245712.tif 000014
【図１３】
2005245712.tif 000015
【図１４】
2005245712.tif 000016
【図１５】
2005245712.tif 000017
【図１６】
2005245712.tif 000018
【図１７】
2005245712.tif 000019
【図１８】
2005245712.tif 000020
【図１９】
2005245712.tif 000021
【図２０】
2005245712.tif 000022